(57)【特許請求の範囲】
【請求項１】
縦方向と、前記縦方向と交差する横方向と、前記縦方向及び前記横方向と交差する前後方向と、を有し、
前記横方向に沿った前胴回り部と、
前記横方向に沿った後胴回り部と、
前記前胴回り部と前記後胴回り部との間に設けられた股下部と、
を備えた吸収性物品であって、
前記前胴回り部及び前記後胴回り部は、前記横方向に沿った弾性領域を有し、
前記横方向における前記後胴回り部の一方側の端部と、前記横方向における前記前胴回り部の一方側の端部とは、第１接合部によって接合されており、
前記横方向における前記後胴回り部の他方側の端部は、着用時に前記前胴回り部に係止可能な係止部を有する係止部材と第２接合部によって接合されており、
前記前胴回り部及び前記後胴回り部を前記横方向に伸長させた状態において、
前記前胴回り部の前記横方向における、前記股下部の中心の位置から前記他方側の端までの距離は、前記後胴回り部の前記横方向における、前記股下部の中心の位置から前記他方側の端までの距離よりも短く、
前記後胴回り部の前記弾性領域は、前記横方向における前記他方側の端部に配置されており、
前記横方向において、前記係止部の、前記第２接合部の側の端が、前記股下部の、前記第１接合部とは反対側の端に位置するように、前記前胴回り部に前記係止部を係止した状態において、
前記横方向における前記後胴回り部の前記他方側の端部に配置された前記弾性領域は、前記横方向における前記前胴回り部の前記他方側の端部の非肌側に位置し、かつ、前記前胴回り部の前記他方側の端部と重なり部分を有し、
前記前胴回り部の前記他方側の端部は、伸縮性を有しない
ことを特徴とする吸収性物品。
【請求項２】
縦方向と、前記縦方向と交差する横方向と、前記縦方向及び前記横方向と交差する前後方向と、を有し、
前記横方向に沿った前胴回り部と、
前記横方向に沿った後胴回り部と、
前記前胴回り部と前記後胴回り部との間に設けられた股下部と、
を備えた吸収性物品であって、
前記前胴回り部及び前記後胴回り部は、前記横方向に沿った弾性領域を有し、
前記横方向における前記後胴回り部の一方側の端部と、前記横方向における前記前胴回り部の一方側の端部とは、第１接合部によって接合されており、
前記横方向における前記後胴回り部の他方側の端部は、着用時に前記前胴回り部に係止可能な係止部を有する係止部材と第２接合部によって接合されており、
前記前胴回り部及び前記後胴回り部を前記横方向に伸長させた状態において、
前記前胴回り部の前記横方向における、前記股下部の中心の位置から前記他方側の端までの距離は、前記後胴回り部の前記横方向における、前記股下部の中心の位置から前記他方側の端までの距離よりも短く、
前記後胴回り部の前記弾性領域は、前記横方向における前記他方側の端部に配置されており、
前記横方向において、前記係止部の、前記第２接合部の側の端が、前記股下部の、前記第１接合部とは反対側の端に位置するように、前記前胴回り部に前記係止部を係止した状態において、
前記横方向における前記後胴回り部の前記他方側の端部に配置された前記弾性領域は、前記横方向における前記前胴回り部の前記他方側の端部の非肌側に位置し、かつ、前記前胴回り部の前記他方側の端部と重なり部分を有し、
前記後胴回り部の前記他方側の端部における前記弾性領域の前記縦方向の長さは、前記前胴回り部の前記他方側の端部の前記縦方向の長さよりも長い
ことを特徴とする吸収性物品。
【請求項３】
請求項１又は２に記載の吸収性物品であって、
前記前胴回り部及び前記後胴回り部を前記横方向に伸長させた状態において、
前記前胴回り部の前記横方向における、前記股下部の中心の位置から前記他方側の端までの距離は、前記係止部材の前記横方向の長さよりも長い
ことを特徴とする吸収性物品。
【請求項４】
請求項１〜３のいずれかに記載の吸収性物品であって、
前記横方向において、前記係止部の、前記第２接合部の側の端が、前記股下部の、前記第１接合部とは反対側の端に位置するように、前記前胴回り部に前記係止部を係止した状態において、
前記第２接合部は、前記第１接合部の位置よりも前側に位置している
ことを特徴とする吸収性物品。
【請求項５】
請求項４に記載の吸収性物品であって、
前記第２接合部における剛性は、前記前胴回り部における剛性よりも大きい
ことを特徴とする吸収性物品。
【請求項６】
請求項５に記載の吸収性物品であって、
前記第２接合部において重なっている部材の点数は、前記前胴回り部において重なっている部材の点数よりも多い
ことを特徴とする吸収性物品。
【発明の詳細な説明】
【技術分野】
【０００１】
本発明は、吸収性物品に関する。
【背景技術】
【０００２】
従来、排泄物等の液体を吸収する吸収体を有する吸収性物品として、例えば、特許文献１には、横方向の一方側において、前胴回り部（前ウエスト部）の側部と後胴回り部（後ウエスト部）の側部とが接合され、幅方向の他方側において、前胴回り部と後胴回り部とが接合されていない、いわゆる片開きパンツ型のおむつが開示されている。
【０００３】
この片開きパンツ型のおむつは、前胴回り部と後胴回り部とが接合されていない他方側（オープン側）において、後胴回り部の横方向の他方側の端部から突出した係止部（テープファスナー）を前胴回り部に係止させて使用する。
【先行技術文献】
【特許文献】
【０００４】
【特許文献１】実開平４−５８２６号公報
【発明の概要】
【発明が解決しようとする課題】
【０００５】
しかしながら、特許文献１に開示されている片開きパンツ型のおむつのように、前胴回り部の横方向における、吸収体が配置された股下部（着用者の股下に配置される部分）の中心の位置から他方側の端までの距離と、後胴回り部の横方向における、股下部の中心の位置から他方側の端までの距離とを同じに設定した場合、係止部を前胴回り部に係止した際に、前胴回り部の他方側の端部において、後胴回り部の他方側の端部と重なって固定されていない部分の領域が大きくなり、着用者である赤ちゃんがバタついたり、寝返りを打ったりした場合に、前胴回り部の他方側の端部と後胴回り部の他方側の端部との重なり部分において位置ずれが起きやすくなり、また、位置ずれを起こした際のずれ幅が大きくななる。
【０００６】
本発明は、上記のような問題に鑑みてなされたものであって、その目的とするところは、片開きパンツ型のおむつにおいて、オープン側の位置ずれを抑制してフィット性を良好にすることにある。
【課題を解決するための手段】
【０００７】
上記目的を達成するための主たる発明は、
縦方向と、前記縦方向と交差する横方向と、前記縦方向及び前記横方向と交差する前後方向と、を有し、
前記横方向に沿った前胴回り部と、
前記横方向に沿った後胴回り部と、
前記前胴回り部と前記後胴回り部との間に設けられた股下部と、
を備えた吸収性物品であって、
前記前胴回り部及び前記後胴回り部は、前記横方向に沿った弾性領域を有し、
前記横方向における前記後胴回り部の一方側の端部と、前記横方向における前記前胴回り部の一方側の端部とは、第１接合部によって接合されており、
前記横方向における前記後胴回り部の他方側の端部は、着用時に前記前胴回り部に係止可能な係止部を有する係止部材と第２接合部によって接合されており、
前記前胴回り部及び前記後胴回り部を前記横方向に伸長させた状態において、
前記前胴回り部の前記横方向における、前記股下部の中心の位置から前記他方側の端までの距離は、前記後胴回り部の前記横方向における、前記股下部の中心の位置から前記他方側の端までの距離よりも短く、
前記後胴回り部の前記弾性領域は、前記横方向における前記他方側の端部に配置されており、
前記横方向において、前記係止部の、前記第２接合部の側の端が、前記股下部の、前記第１接合部とは反対側の端に位置するように、前記前胴回り部に前記係止部を係止した状態において、
前記横方向における前記後胴回り部の前記他方側の端部に配置された前記弾性領域は、前記横方向における前記前胴回り部の前記他方側の端部の非肌側に位置し、かつ、前記前胴回り部の前記他方側の端部と重なり部分を有し、
前記前胴回り部の前記他方側の端部は、伸縮性を有しない
ことを特徴とする吸収性物品である。
本発明の他の特徴については、本明細書及び添付図面の記載により明らかにする。
【発明の効果】
【０００８】
本発明によれば、片開きパンツ型のおむつにおいて、オープン側の位置ずれを抑制してフィット性を良好にすることができる。
【図面の簡単な説明】
【０００９】
【図１】本発明の実施形態に係るおむつの一構成例を示す概略斜視図である。
【図２】展開した状態のおむつを着用者の肌側から見た概略平面図である。
【図３】図３Ａは、前胴回り部の断面模式図であり、図３Ｂは、後胴回り部の断面模式図であり、図３Ｃは、係止部材の断面模式図である。
【図４】弾性領域Ｘ及び弾性領域Ｙについて説明する説明図である。
【図５】図５Ａは、おむつの使用態様を示す図であり、図５Ｂは、着用状態におけるおむつを側面から見た図であり、図５Ｃは、着用状態におけるおむつを正面から見た図である。
【図６】比較例に係るおむつを着用した場合の様子を示す説明図である。
【図７】図７Ａは、ターゲット領域の範囲及び着用時における係止部の位置についての一例を示す概略平面図であり、図７Ｂは、図７Ａの状態におけるおむつを上から見たときの模式図である。
【図８】ターゲット領域の範囲及び着用時における係止部の位置についての変形例１を示す概略平面図である。
【図９】図９Ａは、ターゲット領域の範囲及び着用時における係止部の位置についての変形例２を示す概略平面図であり、図９Ｂは、図９Ａの状態におけるおむつを上から見たときの模式図である。
【図１０】変形例に係るおむつを展開し、着用者の肌側から見た概略平面図である。
【図１１】変形例に係るおむつの弾性領域Ｘ及び弾性領域Ｙについて説明する説明図である。
【発明を実施するための形態】
【００１０】
本明細書及び添付図面の記載により、少なくとも以下の事項が明らかとなる。
【００１１】
縦方向と、前記縦方向と交差する横方向と、前記縦方向及び前記横方向と交差する前後方向と、を有し、前記横方向に沿った前胴回り部と、前記横方向に沿った後胴回り部と、前記前胴回り部と前記後胴回り部との間に設けられた股下部と、を備えた吸収性物品であって、前記前胴回り部及び前記後胴回り部は、前記横方向に沿った弾性領域を有し、前記横方向における前記後胴回り部の一方側の端部と、前記横方向における前記前胴回り部の一方側の端部とは、第１接合部によって接合されており、前記横方向における前記後胴回り部の他方側の端部は、着用時に前記前胴回り部に係止可能な係止部を有する係止部材と第２接合部によって接合されており、前記前胴回り部及び前記後胴回り部を前記横方向に伸長させた状態において、前記前胴回り部の前記横方向における、前記股下部の中心の位置から前記他方側の端までの距離は、前記後胴回り部の前記横方向における、前記股下部の中心の位置から前記他方側の端までの距離よりも短い吸収性物品が明らかとなる。
【００１２】
このような吸収性物品によれば、前胴回り部の横方向における、股下部の中心の位置から他方側の端までの距離が、後胴回り部の横方向における、股下部の中心の位置から他方側の端（第２接合部側の端）までの距離よりも短いことから、着用時において前胴回り部の横方向の他方側の端部と後胴回り部の横方向の他方側との重なり部分の領域が小さくなり、当該重なり部分における位置ずれが起きにくく、位置ずれが起きた場合であってもずれ幅を小さくすることができる。このため、おむつの着用時におけるフィット性を良好にすることができる。
【００１３】
かかる吸収性物品であって、前記前胴回り部及び前記後胴回り部を前記横方向に伸長させた状態において、前記前胴回り部の前記横方向における、前記股下部の中心の位置から前記他方側の端までの距離は、前記係止部材の前記横方向の長さよりも長いことが望ましい。
【００１４】
このような吸収性物品によれば、係止部材の横方向の先端（第２接合部とは反対側の端）が、股下部の横方向の中心に位置するように、前胴回り部に係止部を係止した状態において、第２接合部が前胴回り部の他方側の端部と重なり、剛性の高い第２接合部が着用者の肌に直接触れないため、肌触りが良好となる。
【００１５】
かかる吸収性物品であって、前記後胴回り部の前記弾性領域は、前記横方向における前記他方側の端部に配置されており、前記横方向において、前記係止部の、前記第２接合部の側の端が、前記股下部の、前記第１接合部とは反対側の端に位置するように、前記前胴回り部に前記係止部を係止した状態において、前記横方向における前記後胴回り部の前記他方側の端部に配置された前記弾性領域は、前記横方向における前記前胴回り部の前記他方側の端部の非肌側に位置し、かつ、前記前胴回り部の前記他方側の端部と重なり部分を有することが望ましい。
【００１６】
このような吸収性物品によれば、着用時において、横方向における後胴回り部の他方側の端部に設けられた弾性領域が横方向における前胴回り部の他方側の端部より非肌側に位置し、弾性領域と前胴回り部の他方側の端部とが（厚さ方向に）重なっているため、前胴回り部の他方側の端部が弾性力によって着用者の肌に押し付けられ、前胴回り部の他方側の端部の位置ずれを抑制して着用時におけるフィット性をより良好にすることができる。
【００１７】
かかる吸収性物品であって、前記前胴回り部の前記他方側の端部は、伸縮性を有しないことが望ましい。
【００１８】
このような吸収性物品によれば、前胴回り部の他方側の端部が伸縮性を有しないことから、当該端部が後胴回り部の弾性領域の弾性力によって着用者の肌に押し付けられた際に着用者の肌に対して面で当てることができるため、肌触りがよくなりフィット性をより良好にすることができる。
【００１９】
かかる吸収性物品であって、前記横方向において、前記係止部の、前記第２接合部の側の端が、前記股下部の、前記第１接合部とは反対側の端に位置するように、前記前胴回り部に前記係止部を係止した状態において、前記後胴回り部の前記他方側の端部における前記弾性領域の前記縦方向の長さは、前記前胴回り部の前記他方側の端部の前記縦方向の長さよりも長いことが望ましい。
【００２０】
このような吸収性物品によれば、前記後胴回り部の前記他方側の端部に設けられた弾性領域が前胴回り部の他方側の端部を覆うため、前胴回り部の他方側の端部全体に弾性力が作用し、前胴回り部の他方側の端部の位置ずれをより抑制することができる。
【００２１】
かかる吸収性物品であって、前記横方向において、前記係止部の、前記第２接合部の側の端が、前記股下部の、前記第１接合部とは反対側の端に位置するように、前記前胴回り部に前記係止部を係止した状態において、前記第２接合部は、前記第１接合部の位置よりも前側に位置していることが望ましい。
【００２２】
このような吸収性物品によれば、着用時において、第２接合部が第１接合部の位置よりも前側（腹側）に位置していることから、剛性を有する第２接合部が、下方への位置ずれに対する支えとなるため、着用者のお腹の出っ張りによる下方への位置ずれが抑制されて、フィット性が良好となる。
【００２３】
かかる吸収性物品であって、前記第２接合部における剛性は、前記前胴回り部における剛性よりも大きいことが望ましい。
【００２４】
このような吸収性物品によれば、第２接合部における剛性を前胴回り部における剛性よりも大きくすることによって、前胴回り部の下方への位置ずれに対する支えがより確実となり、着用者のお腹の出っ張りによる下方への位置ずれがより抑制される。
【００２５】
かかる吸収性物品であって、前記第２接合部において重なっている部材の点数は、前記前胴回り部において重なっている部材の点数よりも多いことが望ましい。
【００２６】
このような吸収性物品によれば、第２接合部において重なっている部材の点数が前胴回り部において重なっている部材の点数よりも多いことで、前胴回り部の剛性よりも第２接合部の剛性が大きくなり、厚みのある部材に変更する等の方法を取らずに、下方への位置ずれに対する支えをより確実にすることができる。
【００２７】
＝＝＝実施形態＝＝＝
本発明の実施形態に係る吸収性物品の一例として、片開きパンツ型の使い捨ておむつ１（以下では単におむつ１とする）について説明する。
【００２８】
＜おむつ１の構成＞
おむつ１の構成について、図１〜図４を参照して説明する。
【００２９】
図１は、実施形態に係るおむつ１の一構成例を示す概略斜視図である。図２は、展開した状態のおむつ１を着用者の肌側から見た概略平面図である。図３Ａは、前胴回り部３０の断面模式図であり、図３Ｂは、後胴回り部２０の断面模式図であり、図３Ｃは、係止部材４０の断面模式図である。図４は、弾性領域Ｘ及び弾性領域Ｙについて説明する説明図である。
【００３０】
このおむつ１は、主に新生児や乳幼児等を着用対象とした使い捨ておむつであり、図１に示すように、「縦方向」と、縦方向と交差する「横方向」と、縦方向及び横方向と交差する「前後方向」と、を有する。縦方向のうち、着用者の胴側を「上側」とし、着用者の股下側を「下側」とする。前後方向のうち、着用者の腹側となる側を「前側」とし、着用者の背側となる側を「後側」とする。また、着用者がおむつ１を着用した状態において、着用者の肌と接触する側を「肌側」とし、その反対側を「非肌側」とする。また、以下では、図の横方向の左側を「一方側」とし、右側を「他方側」として説明を行う（図２及び図４参照）。
【００３１】
おむつ１は、着用者の股下に配置して排泄物を吸収する吸収性本体１０（「股下部」ともいう。）と、着用者の背側を覆う後胴回り部２０と、着用者の腹側を覆う前胴回り部３０とを有する。後胴回り部２０の他方側の端部には、おむつ１の着用時に前胴回り部３０に係止可能な係止部４１を有する係止部材４０が横方向に突出して設けられている。
【００３２】
図２に示した展開状態のおむつ１が、縦方向の略中央位置を折り畳み位置として二つ折りされ、横方向の一方側の端部において後胴回り部２０と前胴回り部３０とが第１接合部１ｂにて接合されることで、一方側の脚回り開口部１ＨＬが形成される。横方向の他方側の端部においては、後胴回り部２０と前胴回り部３０とが接合されておらず、係止部４１が前胴回り部３０に係止されることによって、他方側の脚回り開口部１ＨＬ及び胴回り開口部１ＨＢが形成される。
【００３３】
つまり、本実施形態のおむつ１は、横方向の一方側では後胴回り部２０と前胴回り部３０とが接合されて閉じており、他方側では両者が接合されずに開いている、所謂「片開き型のおむつ」である。なお、以下では、後胴回り部２０と前胴回り部３０とが接合されずに開いている側（横方向の他方側）を「オープン側」とも呼ぶ。
【００３４】
後胴回り部２０及び前胴回り部３０は、その平面形状が略矩形であり、吸収性本体１０の長手方向の一端部１０ａに後胴回り部２０が固定され、吸収性本体１０の長手方向の他端部１０ｂに前胴回り部３０が固定されている。すなわち、後胴回り部２０と前胴回り部３０との間に吸収性本体１０が架け渡されており、後胴回り部２０及び前胴回り部３０は、吸収性本体１０の長手方向に間隔を空けて平行に配置されている。
【００３５】
吸収性本体１０の長手方向の一端部１０ａの領域は、吸収性本体１０と後胴回り部２０とが重なった領域（第１領域）であり、図２に示すＡ−Ｂ−Ｃ−Ｄで囲まれた矩形状の領域である。また、吸収性本体１０の長手方向の他端部１０ｂの領域は、吸収性本体１０と前胴回り部３０とが重なった領域（第２領域）であり、図２に示すＦ−Ｇ−Ｈ−Ｉで囲まれた矩形状の領域である。
【００３６】
（吸収性本体１０）
吸収性本体１０（股下部）は、平面視略長方形をなし、その長手方向をおむつ１の縦方向に沿わせつつ横方向の中央に配置されている。図２及び図４において、中心線ＡＣ（一点鎖線で示す）は吸収性本体１０の横方向における中心である。
【００３７】
吸収性本体１０は、液体を吸収して保持する吸収体１１と、吸収体１１を着用者の肌側から覆いつつ尿等の排泄物を透過させる液透過性の表面シート１２と、吸収体１１を非肌側から覆いつつ非肌側からの液体の漏れを防ぐ液不透過性の裏面シート１３を有する。吸収体１１は、パルプ繊維等の液体吸収性繊維を図２に示されるような平面視略砂時計形状等の所定形状に成形したものであり、その内部には高吸収性ポリマーが混入されている。
【００３８】
また、横漏れの防止や脚回りのフィット性を良好にするため、吸収性本体１０の横方向における両側部に位置する部位には、当該吸収性本体１０の長手方向に沿って伸縮するレッグギャザーＬＧ（脚回り伸縮部）がそれぞれ設けられているが、便宜上、図２等では図示を省略している。
【００３９】
（後胴回り部２０）
後胴回り部２０は、図３Ｂに示すように、着用者の肌側に位置する肌側部材２１と、非肌側に位置する非肌側部材２２と、肌側部材２１と非肌側部材２２の間に位置する複数の糸ゴム２３と、を有する。非肌側部材２２は、上端部が肌側に向かって折り返されており、肌側部材２１の上端部及び吸収性本体１０の上端部を覆っている。
【００４０】
肌側部材２１と非肌側部材２２とは、それぞれ不織布等の柔軟なシート部材である。糸ゴム２３は、後胴回り部２０に対して横方向の伸縮性を付与する弾性部材である。本実施形態では、縦方向に所定の間隔で並ぶ複数の糸ゴム２３が、横方向に伸長された状態で接着剤等により肌側部材２１と非肌側部材２２との間で接合されている。
【００４１】
後胴回り部２０の一方側の端部には第１接合領域２０ｊが設けられ、熱溶着や超音波溶着等の所定の接合手段を用いて前胴回り部３０の接合領域３０ｊ（後述）と接合されることにより、おむつ１の第１接合部１ｂが形成される。また、後胴回り部２０の他方側の端部には、係止部材４０が接合される第２接合領域４０ｊが設けられている。
【００４２】
後胴回り部２０の下端部において、横方向の一方側に、横方向の一方側の横端２０ｅｌから横方向の内側（吸収性本体１０が配置された側）に向かって斜め下方に傾斜する傾斜部２０ｂｌを有している。また、後胴回り部２０の下端部において、横方向の他方側に、横方向の他方側の横端２０ｅｒから横方向の内側に向かって前胴回り部３０の下端３０ｂと略平行に形成された直線部２０ｂｓと、直線部２０ｂｓから横方向の内側に向かって斜め下方に傾斜する傾斜部２０ｂｒと、を有している。横方向の一方側における傾斜部２０ｂｌと横方向の他方側における傾斜部２０ｂｒとは、吸収性本体１０の横方向の中心線ＡＣを中心として線対称に形成されている。
【００４３】
このように、後胴回り部２０が前胴回り部３０の下端３０ｂと略平行に形成された直線部２０ｂｓを有することにより、係止部４１を前胴回り部３０に係止した場合、すなわちおむつ１を着用した状態において、前胴回り部３０の下端３０ｂと後胴回り部２０の直線部２０ｂｓとを揃えることができるため、おむつ１の着用状態における見栄えが良くなる。なお、横方向の他方側における傾斜部２０ｂｒの横方向の長さＬ２を、横方向の一方側における傾斜部２０ｂｌの横方向の長さＬ１より長く設定し（Ｌ２＞Ｌ１）、当該他方側の傾斜部２０ｂｒの傾斜角度を当該一方側の傾斜部２０ｂｌの傾斜角度よりも緩やかにしてもよい。
【００４４】
複数の糸ゴム２３は、弾性領域Ｘを形成しておむつ１のフィット性を向上させている。具体的には、後胴回り部２０の上端部において、複数の糸ゴム２３は、横方向の一方側の横端２０ｅｌから他方側の横端２０ｅｒに亘って連続して設けられており、縦方向に所定の間隔で並んで配置されている。後胴回り部２０のうち吸収体１１と重なる領域、つまり、後胴回り部２０の縦方向の中央部及び下端部においては、吸収体１１が配置された領域に対応する後胴回り部２０の横方向の中央部に複数の糸ゴム２３が配置されず、吸収体１１よりも横方向の左側（一方側）の領域及び吸収体１１よりも横方向の右側（他方側）の領域にそれぞれ、略平行に複数の糸ゴム２３が設けられている。
【００４５】
ここで、図４に示すように、後胴回り部２０の横方向の一方側に設けられた第１接合領域２０ｊの横方向の内側（他方側）の端から、横方向の他方側に設けられた第２接合領域４０ｊの横方向の内側（一方側）の端までの領域のうち、複数の糸ゴム２３が配置されている領域を弾性領域Ｘという。図４では、弾性領域Ｘはハッチングで示している。なお、図４では、便宜上、第１接合領域２０ｊ及び第２接合領域４０ｊのハッチングは省略している。
【００４６】
なお、図２及び図４に示すように、複数の糸ゴム２３は、後胴回り部２０の横方向の両側の横端２０ｅｒ，２０ｅｌまで配置されているが、後胴回り部２０の横方向の端部にはそれぞれ、接合領域２０ｊ及び第２接合領域４０ｊが設けられているため、第１接合領域２０ｊ、及び当該第１接合領域２０ｊよりも横方向の外側、並びに第２接合領域４０ｊ、及び当該第２接合領域４０ｊよりも横方向の外側の部分では、伸縮力が実質的に発現できなくなる。したがって、弾性領域Ｘの横方向に沿った領域の範囲は、第１接合領域２０ｊの横方向の内側の端から、第２接合領域４０ｊの横方向の内側の端までとなっている。
【００４７】
この弾性領域Ｘの横方向の一方側の端Ｘｅ１は、第１接合領域２０ｊの横方向の内側の横端と同じ位置であり、弾性領域Ｘの横方向の他方側の端Ｘｅ２は、第２接合領域４０ｊの横方向の内側の横端と同じ位置である。なお、図４のハッチングで示される弾性領域Ｘ以外の領域（非弾性領域）にも複数の糸ゴム２３が配置されている場合があるが、当該非弾性領域においては、複数の糸ゴム２３が切断されることによって伸縮性を発現しないようにしている。
【００４８】
ここで、本実施形態では、吸収性本体１０の横方向の中心の位置（中心線ＡＣ）と後胴回り部２０の横方向の中心の位置とは同じに設定されている。図４に示すように、弾性領域Ｘにおいて、横方向の一方側の端Ｘｅ１から中心線ＡＣまでの距離Ｌ３は、横方向の他方側の端Ｘｅ２から中心線ＡＣまでの距離Ｌ４と同じである（Ｌ３＝Ｌ４）。なお、必ずしも、横方向の一方側の端Ｘｅ１から中心線ＡＣまでの距離Ｌ３と、横方向の他方側の端Ｘｅ２から中心線ＡＣまでの距離Ｌ４とが同じである必要はなく、他の一例については後述する。
【００４９】
（係止部材４０）
係止部材４０は、図３Ｃに示すように、着用者の肌側に位置する肌側部材４０１と、非肌側に位置する非肌側部材４０２と、肌側部材４０１及び非肌側部材４０２よりも肌側に位置する係止部４１と、を有する。非肌側部材４０２は、上端部が肌側に向かって折り返されており、肌側部材４０１の上端部を覆っている。係止部材４０は、熱溶着や超音波溶着等の所定の接合手段を用いて後胴回り部２０の第２接合領域４０ｊに接合され、これにより、おむつ１の第２接合部２ｂが形成される。
【００５０】
肌側部材４０１と非肌側部材４０２とは、それぞれ不織布等の柔軟なシート部材である。係止部４１は、例えばポリプロピレン等で形成されて、肌側の面に複数の係止用突起（図略）を備えた面ファスナーである。係止部４１の係止用突起を、前胴回り部３０に設けられたターゲット領域３４（後述）に引っ掛けることにより、係止部材４０が前胴回り部３０に係止される。
【００５１】
第２接合部２ｂ（第２接合領域４０ｊ）は、縦方向に沿って設けられており、縦方向の長さＨ２が、後胴回り部２０の横方向の他方側の横端２０ｅｒの縦方向の長さＨ１の半分よりも長い（Ｈ２＞Ｈ１／２）。
【００５２】
（前胴回り部３０）
前胴回り部３０は、図３Ａに示すように、着用者の肌側に位置する肌側部材３１と、非肌側に位置する非肌側部材３２と、肌側部材３１と非肌側部材３２との間に位置する複数の糸ゴム３３と、を有する。非肌側部材３２は、上端部が肌側に向かって折り返されており、肌側部材３１の上端部及び吸収性本体１０の上端部を覆っている。また、前胴回り部３０の横方向の一方側（左側）の端部には、接合領域３０ｊを有し、後胴回り部２０の第１接合領域２０ｊと接合されることで第１接合部１ｂが形成される。
【００５３】
肌側部材３１と非肌側部材３２は、それぞれ不織布等の柔軟なシート部材である。糸ゴム３３は、前胴回り部３０に対して横方向の伸縮性を付与する弾性部材である。本実施形態では、縦方向に所定の間隔で並ぶ複数の糸ゴム３３が、横方向に伸長された状態で接着剤等により肌側部材３１と非肌側部材３２との間で接合されている。
【００５４】
前胴回り部３０の非肌側の面には、係止部４１と係合可能なターゲット領域３４が設けられている。当該ターゲット領域３４は、例えば、不織布の表面の繊維をループ状に加工して、係止部４１の係止用突起（フック）を係合させやすくした部材等によって形成される。なお、ターゲット領域３４と前胴回り部３０とを異なる部材とするのではなく、前胴回り部３０の非肌側部材３２の一部の領域を加工することによってターゲット領域３４が形成されるのであっても良い。
【００５５】
複数の糸ゴム３３は、弾性領域Ｙを形成しておむつ１のフィット性を向上させている。複数の糸ゴム３３は、前胴回り部３０のうち、横方向の一方側（左側）の横端３０ｅｌから中心線ＡＣよりも横方向の一方側の所定の位置までの間に設けられている。これに対して、前胴回り部３０の横方向の他方側（右側）の横端３０ｅｒから中心線ＡＣまでの間には複数の糸ゴム３３が設けられていない。図４のハッチング部分で示されるように、接合領域３０ｊの横方向の内側の横端から、ターゲット領域３４の横方向一方側の端３４ｅｌよりも横方向の一方側（左側）の間で複数の糸ゴム３３が配置されている領域を弾性領域Ｙという。
【００５６】
なお、図４のハッチングで示される弾性領域Ｙ以外の領域（非弾性領域）にも複数の糸ゴム３３が配置されている場合があるが、当該非弾性領域においては、複数の糸ゴム３３が切断されることによって伸縮性を発現しないようにしている。
【００５７】
図２に示すように、中心線ＡＣ（吸収性本体１０の横方向の中心の位置）から前胴回り部３０の横方向の他方側の横端３０ｅｒまでの距離Ｌ６は、中心線ＡＣから前胴回り部３０の横方向の一方側の横端３０ｅｌまでの距離Ｌ５よりも短い（Ｌ６＜Ｌ５）。
【００５８】
また、前胴回り部３０の当該他方側の距離Ｌ６は、後胴回り部２０の横方向の他方側の横端２０ｅｒから中心線ＡＣまでの距離Ｌ８よりも短い（Ｌ６＜Ｌ８）。後胴回り部２０において、中心線ＡＣから横方向の一方側の横端２０ｅｌまでの距離Ｌ７と、中心線ＡＣから横方向の他方側の横端２０ｅｒまでの距離Ｌ８とが同じである（Ｌ７＝Ｌ８）。そして、横方向において、前胴回り部３０の横方向の一方側の横端３０ｅｌの位置と後胴回り部２０の横方向の一方側の横端２０ｅｌの位置とは、ほぼ同じ位置に設けられている。したがって、前胴回り部３０の横方向の一方側の横端３０ｅｌから中心線ＡＣまでの距離Ｌ５と、後胴回り部２０の横方向の一方側の横端２０ｅｌから中心線ＡＣまでの距離Ｌ７とは、同じである（Ｌ５＝Ｌ７）。距離Ｌ５、Ｌ６、Ｌ７、Ｌ８の関係より、前胴回り部３０の横方向の長さは、後胴回り部２０の横方向の長さよりも短い。横方向において、前胴回り部３０の他方側の横端３０ｅｒは、後胴回り部２０の他方側の横端２０ｅｒよりも内側に設けられている。
【００５９】
さらに、前胴回り部３０の横方向の他方側の横端３０ｅｒから中心線ＡＣまでの距離Ｌ６は、係止部材４０の横方向の長さＬ９よりも長い（Ｌ６＞Ｌ９）。なお、横方向における距離（長さ）Ｌ５、Ｌ６、Ｌ７、Ｌ８、Ｌ９の大小関係は、後胴回り部２０及び前胴回り部３０を横方向に伸長させた状態におけるものである。ここで、「伸長させた状態」とは、後胴回り部２０及び前胴回り部３０を横方向に皺なく伸長させた状態をいう。より具体的には、後胴回り部２０の横方向の寸法が、肌側部材２１の横方向の寸法及び非肌側部材２２の横方向の寸法と同じ又はこれらの寸法に近い長さになるまで横方向に伸長させた状態、ならびに、前胴回り部３０の横方向の寸法が、肌側部材３１の横方向の寸法及び非肌側部材３２の横方向の寸法と同じ又はこれらの寸法に近い長さになるまで横方向に伸長させた状態をいう。
【００６０】
＜おむつ１の使用態様及び着用状態について＞
次に、おむつ１の使用態様及びおむつ１の着用状態について、図５〜９を参照して説明する。
【００６１】
図５Ａは、おむつ１の使用態様を示す図であり、図５Ｂは、着用状態におけるおむつ１を側面から見た図であり、図５Ｃは、着用状態におけるおむつ１を正面から見た図である。図６は、比較例に係るおむつを着用した場合において、前胴回り部３０に係止部４０を係止した様子を示す説明図である。図７Ａは、ターゲット領域３４の範囲及び着用時における係止部４１の位置についての一例を示す概略平面図であり、図７Ｂは、図７Ａの状態におけるおむつ１を上から見たときの模式図である。図８は、ターゲット領域３４の範囲及び着用時における係止部４１の位置についての変形例１を示す概略平面図である。図９Ａは、ターゲット領域３４の範囲及び着用時における係止部４１の位置についての変形例２を示す概略平面図であり、図９Ｂは、図９Ａの状態におけるおむつ１を上から見たときの模式図である。
【００６２】
図５Ａに示すように、おむつ１の横方向の一方側の端部は、前胴回り部３０と後胴回り部２０とが第１接合部１ｂによって接合され、脚回り開口部１ＨＬが形成されている。これに対して、横方向の他方側の端部は、前胴回り部３０と後胴回り部２０とが接合されておらず開いた状態となっている。すなわち、おむつ１は、横方向の片側が開いた状態となっている。
【００６３】
このようなおむつ１を着用者（乳幼児等）に着用させる際には、まず、おむつ１の横方向の一方側に形成された脚回り開口部１ＨＬに着用者の片脚（右脚）を入れて、当該片脚を着用状態と同じ位置、つまり、一方側の脚回り開口部１ＨＬを着用者の右脚の付け根に配置する。その後、着用させようとする人が、片方の手で前胴回り部３０の他方側の端部を横方向の他方側へ引っ張った状態で押さえる。そして、もう一方の手で係止部材４０（後胴回り部２０の他方側端部）を横方向の他方側へ引っ張りながら（図５Ａにおいて矢印で示す）前胴回り部３０の前方側に回し込み、係止部４１を前胴回り部３０のターゲット領域３４に係止させる。これにより、他方側の脚回り開口部１ＨＬが形成されると共に、胴回り開口部１ＨＢが形成されて、おむつ１を着用状態とする（図５Ｃ参照）。
【００６４】
このような着用方法であれば、一方側の脚回り開口部１ＨＬに着用者の片脚を通した状態で、ターゲット領域３４に係止部４１を係止させることで、他方側の脚回り開口部１ＨＬ及び胴回り開口部１ＨＢを同時に形成することができる。したがって、着用者たる新生児や乳幼児が脚をバタつかせているような場合であっても、おむつ１を容易に着用させることができる。
【００６５】
本実施形態においては、前胴回り部３０のうち、横方向の一方側の端部から中心線ＡＣまでの領域は、横方向に沿った弾性領域Ｙを有しており、他方側の端部から中心線ＡＣまでの領域は、弾性領域を有していない（伸縮性を有しない）ことで、おむつ１のフィット性を向上させている。前胴回り部３０の他方側の端部から中心線ＡＣまでの領域は、係止部材４０の係止部４１が係止する領域であるため、この領域に糸ゴム３３等の弾性部材を配置すると、弾性部材の伸縮によって、係止が外れやすくなってしまうおそれがある。この問題を軽減するため、他方側の端部から中心線ＡＣまでの領域、すなわち係止部４１が係止される領域は、弾性領域を有していないのである。このとき、ターゲット領域３４は、前胴回り部３０のうち、弾性領域を設けていない部分に配置している。
【００６６】
さらに、本実施形態においては、横方向において、前胴回り部３０の縦方向の上端の、一方側の端と中心線ＡＣとの距離Ｌ５が、前胴回り部３０の縦方向の上端の、他方側の端と中心線ＡＣとの距離Ｌ６よりも長いため（Ｌ５＞Ｌ６）、他方側の係止部４１で前胴回り部３０に係止した際に、後胴回り部２０が前後方向に重ねられる前胴回り部３０の領域をより小さくすることができる。これによって、着用中の、後胴回り部２０と前胴回り部３０が重ねられることによって生じる違和感や不快感を軽減させることができる。
【００６７】
おむつ１は、前胴回り部３０のうち、中心線ＡＣより他方側は、係止部４１により係止されるため、糸ゴム３３を有していない。また、この領域に糸ゴム３３を有していても、係止部４１の係止によって伸縮性が低下してしまい、着用中に、一方側に比べて他方側の伸縮性が弱くなってしまうおそれがある。そこで、後胴回り部２０における複数の糸ゴム３３が配置された領域である弾性領域Ｘにおいて、一方側の端Ｘｅ１と中心線ＡＣとの間に設けられた弾性領域Ｘの糸ゴム３３の数より、他方側の端Ｘｅ２と、中心線ＡＣとの間に設けられた弾性領域Ｘの糸ゴム３３の数の方を多く設けることが望ましい。これにより、おむつ１のフィット性を向上させることができる。
【００６８】
さらに、本実施形態においては、後胴回り部２０は、係止部４１を備えた係止部材４０を有しており、係止部材４０は、後胴回り部２０の第２接合領域４０ｊで、後胴回り部２０の他方側の端部に固着されており、第２接合領域４０ｊの縦方向の長さＨ２を、後胴回り部２０の他方側の横端２０ｅｒの長さＨ１の半分以上の長さとすることで（Ｈ２＞Ｈ１／２）、図５Ａに示す状態から、係止部材４０を引っ張って前胴回り部３０に係止させる際に、係止部材４０を引っ張った力を、胴回り部２０の他方側の横端２０ｅｒの半分以上の部分に与えることができる。これによって、前胴回り部３０により均等な力を加えることができ、前胴回り部３０の一部分に過剰な力が加えられることによる前胴回り部３０の破損や変形のおそれを軽減することができる。
【００６９】
さらに、後胴回り部２０、前胴回り部３０、及び吸収性本体１０は、それぞれ別体で、後胴回り部２０の下端部の横方向の一方側には傾斜部２０ｂｌを有し、後ろ胴回り部２０の下端部の横方向の他方側には傾斜部２０ｂｒを有し、傾斜部２０ｂｌの横方向の長さＬ１より傾斜部２０ｂｒの横方向の長さＬ２の方を長くしてもよい（Ｌ２＞Ｌ１）。一方側の傾斜部２０ｂｌの横方向の長さＬ１を、着用者の脚回りの大きさに応じた長さに設定して、一方側の脚回り開口部１ＨＬは、着用者の脚によりフィットさせる。他方側の傾斜部２０ｂｒは、他方側の傾斜部２０ｂｒの横方向の長さＬ２を、一方側の傾斜部２０ｂｌの横方向の長さＬ１より長くして、着用時に係止部４１による係止によって他方側の脚回り開口部１ＨＢの大きさを調整してもよい。
【００７０】
（前胴回り部３０と後胴回り部２０との重なり部分の位置ずれについて）
次に、前胴回り部３０の横方向の他方側の端部３００と後胴回り部２０の横方向の他方側の端部２００との重なり部分の位置ずれについて、図６を参照して説明する。
【００７１】
図６は、比較例に係るおむつを着用した場合の様子を示す説明図である。
【００７２】
図６に示すおむつでは、前胴回り部３０及び後胴回り部２０を横方向に伸長させた状態において、前胴回り部３０の横方向における、吸収性本体１０の中心の位置（中心線ＡＣ）から他方側の横端３０ｅｒまでの距離Ｌ６が、後胴回り部２０の横方向における、吸収性本体１０の中心の位置（中心線ＡＣ）から他方側の横端２０ｅｒまでの距離Ｌ８（図２参照）と等しいか、当該距離Ｌ８よりも長い（Ｌ６≧Ｌ８）。この場合、おむつを着用した際、前胴回り部３０の横方向の他方側の端部３００と後胴回り部２０の横方向の他方側との重なり部分の領域が大きくなる。
【００７３】
片開きパンツ型のおむつでは、横方向の他方側（オープン側）においては、係止部４１が前胴回り部３０のターゲット領域３４に係止されているだけであるため、前胴回り部３０において係止部分よりも横方向の他方側の部分（後胴回り部２０の横方向の端部と重なる部分）では、後胴回り部２０と固定されていない。例えば、寝ている赤ちゃん（着用者）が脚をバタつかせたような場合、赤ちゃんの脚の動きに追従して、肌側に位置する前胴回り部３０の横方向の他方側において、後胴回り部２０の横方向の他方側の端部２００と重なる部分（端部３００を含む領域）がよれて縦方向に位置ずれを起こしやすくなる（図６参照）。また、寝ている赤ちゃんが寝返りを打つ等して横方向に動いた場合、前胴回り部３０の横方向の他方側の端部３００が横方向の一方側へ向かって丸まりやすくなる。そして、前胴回り部３０の横方向の他方側において、後胴回り部２０の横方向の他方側の端部と重なる部分の領域が大きいほど、当該重なる部分において前述のような位置ずれを起こしやすくなり、かつ位置ずれを起こした際のずれ幅が大きくなってしまう。なお、図６では、位置ずれを起こす前の前胴回り部３０の状態（位置）を二点鎖線で示している。
【００７４】
しかしながら、おむつ１では、前述のとおり、前胴回り部３０及び後胴回り部２０を横方向に伸長させた状態において、前胴回り部３０の横方向における、吸収性本体１０の中心の位置（中心線ＡＣ）から他方側の横端３０ｅｒまでの距離Ｌ６が、後胴回り部２０の横方向における、吸収性本体１０の中心の位置（中心線ＡＣ）から他方側の横端２０ｅｒまでの距離Ｌ８よりも短い（Ｌ６＜Ｌ８）ため（図２参照）、おむつ１の着用時において前胴回り部３０の横方向の他方側の端部３００と後胴回り部２０の横方向の他方側との重なり部分の領域が小さくなる。これにより、前述のような位置ずれを起こしにくくすることができる。また、位置ずれが起きた場合であっても、ずれ幅を小さくすることができる。このため、おむつ１の着用時においてフィット性を良好にすることができる。
【００７５】
次に、係止部４１の係止位置、係止状態（着用状態）における弾性領域Ｘの位置、及び係止状態（着用状態）における第２接合部２ｂの位置について、図５〜図９を参照して説明する。
【００７６】
（係止部４１の係止位置）
まず、係止部４１の係止位置について説明する。
【００７７】
図７Ａ及び図７Ｂでは、おむつ１を着用者に履かせた際、係止部４１の横方向の中心４１Ｃがターゲット領域３４の横方向の中心３４Ｃに位置するように、係止部４１が前胴回り部３０に係止される。
【００７８】
図８は、図７Ａ及び図７Ｂに示す場合と比較して、胴回り開口部１ＨＢが狭くなるように係止部４１を係止させた状態について表している。ターゲット領域３４が中心線ＡＣよりも一方側の領域にも設けられていることにより、係止部４１を中心線ＡＣよりも一方側にずれた位置に係止させることが可能となる。これにより、後胴回り部２０と前胴回り部３０との重なり部分が大きくなり、その分、胴回り開口部１ＨＢを小さく形成することができるようになるため、胴回りサイズの小さい着用者（乳幼児等）に良好なフィット感を与えることができる。
【００７９】
なお、図７〜図９では、係止部４１の全領域がターゲット領域３４と重なるように位置しているが、係止を行う際には必ずしも係止部４１の全領域がターゲット領域３４と重なる必要は無く、少なくとも一部の領域が互いに重複していれば良い。但し、係止部４１とターゲット領域３４との重複部分の面積が大きいほど両者の係合が強くなるため、係止部４１の全領域がターゲット領域３４と重複していることが望ましい。
【００８０】
図９Ａ及び図９Ｂは、図８とは反対に、胴回り開口部１ＨＢが広くなるように係止部４１を係止させた状態について表している。図９Ａ及び図９Ｂでは、横方向において、係止部４１の第２接合部２ｂ側の端４１ｅｒが、吸収性本体１０の横方向の他方側（第１接合部１ｂ側とは反対側）の横端１０ｅｒに位置するように、係止部４１が前胴回り部３０に係止される。これにより、後胴回り部２０と前胴回り部３０との重なり部分が小さくなり、その分、胴回り開口部１ＨＢを大きく形成することができるようになるため、胴回りサイズの大きい着用者（乳幼児等）に良好なフィット感を与えることができる。
【００８１】
ただし、図９Ａ及び図９Ｂに示す係止位置を基準の係止位置として、係止部４１の第２接合部２ｂ側の端４１ｅｒが当該係止位置、又は当該係止位置よりも横方向の内側に位置するように係止部４１が前胴回り部３０に係止されることが望ましい。例えば、前胴回り部３０の下端から係止部４１が突出した状態で、係止部４１が前胴回り部３０に係止されるような場合を考える。仮に、係止部４１の第２接合部２ｂ側の端５１２が吸収性本体１０の横方向の他方側の横端１０ｅｒよりも横方向の外側に位置する場合、剛性を有する係止部４１の突出部分が着用者の脚に触れて着用者の肌を傷つけてしまうおそれがある。一方で、係止部４１の第２接合部２ｂの側の端４１ｅｒが前述した基準の係止位置、又は基準の係止位置よりも横方向の内側に位置する場合には、係止部４１の突出部分は吸収性本体１０に重なるため、当該突出部分が着用者の脚に触れてしまうことを回避できる。
【００８２】
図８や図９Ａ及び図９Ｂに示すように、係止部４１の横方向の中心４１Ｃがターゲット領域３４の横方向の中心３４Ｃに位置するように、係止部４１を前胴回り部３０に係止する必要は必ずしもない。
【００８３】
（係止状態における弾性領域Ｘの位置）
次に、係止部４１が前胴回り部３０に係止されている状態（おむつ１の着用状態）における弾性領域Ｘの位置について説明する。
【００８４】
図９Ａ及び図９Ｂに示すように、係止部４１が基準の係止位置で係止している状態では、弾性領域Ｘが横方向における前胴回り部３０の横方向の他方側の端部３００の非肌側に位置し、かつ、前胴回り部３０の横方向の他方側の端部３００と重なり部分（図９Ｂにおいて太い破線で示す）を有する。なお、係止部４１が基準の係止位置よりも横方向の内側で係止している状態（図７Ａ及び図７Ｂならびに図８参照）においても、弾性領域Ｘが横方向における前胴回り部３０の横方向の他方側の端部３００の非肌側に位置し、かつ、前胴回り部３０の横方向の他方側の端部３００と重なり部分（図７Ｂにおいて太い破線で示す）を有している。
【００８５】
図６に示すように、後胴回り部２０の横方向の他方側の端部２００が弾性領域Ｘを有していない場合には、前述のように、着用者である赤ちゃんが、脚をバタつかせたり、寝返りを打ったりした際、前胴回り部３０の横方向の他方側の端部３００と後胴回り部２０の横方向の他方側の端部２００とが滑り合って、重なり部分において位置ずれが起こりやすくなる。しかしながら、おむつ１では、前胴回り部３０の横方向の他方側の端部３００が弾性領域Ｘの弾性力によって着用者の肌へ押し付けられるため、前胴回り部３０と後胴回り部２０との重なり部分における位置ずれを抑制して、おむつ１の着用時におけるフィット性を良好にすることができる。
【００８６】
また、本実施形態では、前胴回り部３０の横方向の他方側の端部３００は、伸縮性を有していない（弾性領域Ｙを有していない）ため、弾性領域Ｘの弾性力が作用した際、前胴回り部３０の横方向の他方側の端部３００が着用者の肌に対して平面的に押し付けられるため、肌への違和感が抑制されて肌触りが良好となる。
【００８７】
また、本実施形態では、弾性領域Ｘの縦方向の長さＨ５は、前胴回り部３０の横方向の他方側の端部２００の縦方向の長さＨ４よりも長い（Ｈ５＞Ｈ４）ため、縦方向において、前胴回り部３０の横方向の他方側の端部２００を弾性領域Ｘによって覆うことができ、前胴回り部３０の横方向の他方側の端部２００の縦方向の領域全体に弾性力が作用することになり、前胴回り部３０と後胴回り部２０との重なり部分における位置ずれをより抑制することが可能となる。
【００８８】
また、本実施形態では、係止部４１が基準の係止位置で係止している状態（図９Ａ参照）及び基準の係止位置よりも横方向の内側の位置で係止している状態（図７Ａ及び図８参照）では、弾性領域Ｘは、前胴回り部３０の横方向の他方側の端部３００と重なる部分を含め、第１接合部１ｂよりも前側に位置する部分を有している。これにより、おむつ１のオープン側においても、弾性領域Ｘによる弾性力が作用してフィット性を向上させることができる。
【００８９】
（係止状態における第２接合部２ｂの位置）
次に、係止部４１が前胴回り部３０に係止されている状態（おむつ１の着用状態）における第２接合部２ｂの位置について説明する。
【００９０】
係止部４１を基準の係止位置に係止した状態（図９Ａ参照）、及び基準の係止位置よりも横方向の内側の位置で係止した状態（図７Ａ及び図８参照）において、第２接合部２ｂは第１接合部１ｂの位置よりも前側に位置している（図７Ｂ及び図９Ｂ参照）。
【００９１】
着用者である赤ちゃんは、図５Ｂに示すように、前方に向かってお腹が出っ張っていることが多く、前胴回り部３０は着用者のお腹の出っ張りによって下方向の力を受ける（図５Ｂ及び図５Ｃに示す矢印参照）。前胴回り部と後胴回り部とが接合されて剛性を有する接合部は、着用時において着用者の両脇腹に位置していることが多く、前胴回り部は柔らかい不織布等で形成されていることから下方へずり落ちやすく、位置ずれを起こしやすい。
【００９２】
しかしながら、おむつ１では、前述したように、剛性を有する第２接合部２ｂが、着用者の右脇腹に位置する第１接合部１ｂよりも前側（腹側）に位置するため、第２接合部１ｂによって着用者のお腹の出っ張りを支えることができる（図５Ｃ参照）。これにより、着用者のお腹の出っ張りによる前胴回り部３０の下方への位置ずれが抑制され、おむつ１の装着性が良好になる。
【００９３】
本実施形態では、第２接合部２ｂが、後胴回り部２０の横方向の他方側の端部２００において縦方向に沿って設けられており、部分的に設けられている場合よりも縦方向に長く設けられているため、着用者のお腹の出っ張りを支える「支え棒」としての機能を発揮して、着用者のお腹の出っ張りによる前胴回り部２の下方への位置ずれをより抑制することができる。
【００９４】
また、本実施形態では、第２接合部２ｂにおいて重なっている部材の点数（４枚）が、前胴回り部３０において重なっている部材の点数（２枚）よりも多い（図３Ａ及び図３Ｃ参照）。このように、第２接合部２ｂにおける剛性を前胴回り部３０における剛性よりも大きくすることにより、第２接合部２ｂによって着用者のお腹の出っ張りをより確実に支えることが可能となる。ここで、第２接合部２ｂや前胴回り部３０の剛性値としては、例えば、ガーレー剛軟度によって測定された値をサンプル片の長さで割った値を例示できる。ガーレー剛軟度の測定は、（株）安田精機製作所製のＮｏ３１１のガーレー式柔軟度試験機を用いて、ＪＩＳ−Ｌ１０９６に準拠して測定できる。
【００９５】
なお、必ずしも、第２接合部２ｂにおける部材の点数を前胴回り部３０における部材の点数よりも多くすることにより、第２接合部２ｂにおける剛性を前胴回り部３０における剛性よりも大きくする必要はないが、例えば厚みのある部材に変更する等の方法を取らずに剛性を大きくすることが可能となる。
【００９６】
また、本実施形態では、前胴回り部３０の横方向における、吸収性本体１０の中心の位置（中心線ＡＣ）から他方側の横端３０ｅｒまでの距離Ｌ６が、係止部材４０の横方向の長さＬ９よりも長い（Ｌ６＞Ｌ９）ことから（図２参照）、係止部材４０の横方向の先端（第２接合部２ｂとは反対側の端）が中心線ＡＣに位置するように係止部４１を前胴回り部３０に係止した場合に、第２接合部２ｂが前胴回り部３０の横方向の他方側の端部３００と重なるため、剛性の高い第２接合部２ｂが着用者の肌に直接触れなく、肌触りを良好にすることができる。
【００９７】
また、本実施形態では、図７Ａ及び図７Ｂに示すように、係止部４１の横方向の中心４１Ｃがターゲット領域３４の横方向の中心３４Ｃに位置するように、係止部４１が前胴回り部３０に係止した状態において、第２接合部２ｂが吸収性本体１０の横方向の他方側の横端１０ｅｒよりも内側に位置し、着用者の脚回りに位置しないため、剛性を有する第２接合部２ｂが着用者の脚（肌）に直接触れにくくなり、おむつ１の着用時において肌触りが良好となる。
【００９８】
（変形例）
次に、おむつ１の変形例について、図１０及び図１１を参照して説明する。本変形例に係るおむつ１は、吸収性本体１０の横方向の中心の位置（中心線ＡＣ）と後胴回り部２０の横方向の中心の位置（中心線ＲＣ）とが、横方向にずれて位置している。
【００９９】
図１０は、変形例に係るおむつ１を展開し、着用者の肌側から見た概略平面図である。図１１は、変形例に係るおむつ１の弾性領域Ｘ及び弾性領域Ｙについて説明する説明図である。
【０１００】
図１０及び図１１に示す変形例に係るおむつ１は、後胴回り部２０の横方向の中心の位置（中心線ＲＣ）が、吸収性本体１０の横方向の中心を示す中心線ＡＣとは異なる位置であり、中心線ＡＣよりも横方向の右側（他方側）に距離ｄだけずれて位置している。図１０及び図１１に示す横方向の中心線ＢＣは、着用者が片脚を入れた状態における身体の略中心となる位置を示している。当該中心線ＢＣは、後胴回り部２０の横方向の中心を示す中心線ＲＣと同じ位置である。
【０１０１】
この場合において、後胴回り部２０の中心線ＲＣと吸収性本体１０の中心線ＡＣとの間の距離ｄは、前述した弾性領域Ｘにおける横方向の他方側の距離Ｌ４と一方側の距離Ｌ３との差よりも小さい（ｄ＜Ｌ４−Ｌ３）。また、当該距離ｄの２倍の長さ（２ｄ）が、当該他方側の距離Ｌ４と当該一方側の距離Ｌ３との差以下であることがより好ましく（２ｄ≦Ｌ４−Ｌ３）、最も好ましくは、当該距離ｄの２倍の長さと、当該他方側の距離Ｌ４と当該一方側の距離Ｌ３との差とが等しい場合である（２ｄ＝Ｌ４−Ｌ３）。
【０１０２】
また、後胴回り部２０の横方向の他方側の横端２０ｅｒの縦方向の長さＨ１は、吸収性本体１０の長手方向の一端部１０ａ（第１領域）の下端から他端部１０ｂ（第２領域）の下端までの長さＨ３の半分よりも小さい（Ｈ１＜Ｈ３／２）。
【０１０３】
前述した実施形態に係るおむつ１のように、弾性領域Ｘの横方向の一方側の端Ｘｅ１から吸収性本体１０の中心線ＡＣまでの距離Ｌ３と、他方側の端Ｘｅ２から中心線ＡＣまでの距離Ｌ４とを同じ長さにすると、係止部材４０を引っ張ることで後胴回り部２０が横方向に伸長して、吸収体１０が横方向の他方側に動いてしまい、着用者の身体の略中心から吸収性本体１０がずれてしまって、排泄物が漏れてしまったり、着用者に違和感を与えてしまったりする可能性がある。
【０１０４】
そこで、本変形例に係るおむつ１では、着用者の身体の略中心から吸収性本体１０の横方向の中心がずれてしまうことを予め見越して、弾性領域Ｘの横方向の一方側の端Ｘｅ１から吸収性本体１０の中心線ＡＣまでの距離Ｌ３を、横方向の他方側の端Ｘｅ２から中心線ＡＣまでの距離Ｌ４より短くした（Ｌ３＜Ｌ４）。これにより、係止部材４０を横方向の他方側に引っ張り、係止部４１を前胴回り部３０に係止して着用状態のおむつ１に変形させたとき、後胴回り部２０が横方向に伸長して吸収性本体１０が横方向の他方側（左脚側）へ移動するが、中心線ＡＣが中心線ＢＣに近づくため、吸収性本体１０を着用者の身体の中心に近づけることができる。
【０１０５】
また、本変形例に係るおむつ１は、弾性領域Ｘの横方向の一方側の端Ｘｅ１から吸収性本体１０の中心線ＡＣまでの距離Ｌ３を、他方側の端Ｘｅ２から中心線ＡＣまでの距離Ｌ４と異なる長さにすることができるため、一方側の距離Ｌ３を一方側の脚（本実施形態では右脚）の大きさに応じた脚回り開口部１ＨＬに適した長さに設定して一方側の脚回り開口部１ＨＬのフィット性を向上させることを可能とすると共に、係止部４１の係止によって他方側の脚（本実施形態では左脚）の脚回り開口部１ＨＬを調整して他方側の脚回り開口部１ＨＬのフィット性も確保することができる。
【０１０６】
さらに、横方向において、後胴回り部２０の中心線ＲＣから吸収性本体１０の中心線ＡＣまでの距離ｄを、弾性領域Ｘの他方側の端Ｘｅ２と中心線ＡＣとの距離Ｌ４と、弾性領域Ｘの一方側の端Ｘｅ１と中心線ＡＣとの距離Ｌ３との差より小さくすることで（ｄ＜Ｌ４−Ｌ３）、係止部４１を前胴回り部３０に係止する際に、横方向における吸収性本体１０の中央（中心線ＡＣ）と、人の身体の略中心（中心線ＢＣ）とがずれてしまうおそれをより軽減することができる。なお、本実施形態においては、人の身体の略中心位置を示す中心線ＢＣと、後胴回り部２０の横方向の中央を示す中心線ＲＣとを同位置としたが、これに限られない。人の身体の大きさや、各部材の寸法、弾性部材の伸縮力等によって、中心線ＢＣの位置を適宜調整することができ、中心線ＢＣの位置が中心線ＲＣと異なる位置に設けられていてもよい。
【０１０７】
前述のように、前胴回り部３０のうち、後胴回り部２０や係止部材４０が重ねられる領域は、糸ゴム３３の伸縮力が発揮されないため、各糸ゴム２３と各糸ゴム３３とが同じ伸縮力を有している場合、人の身体の略中心を示す中心線ＢＣと、後胴回り部２０の横方向の中央を示す中心線ＲＣとを同じ位置に設け、距離ｄの２倍の長さと、距離Ｌ４と距離Ｌ３との差とを同じにした場合（２ｄ＝Ｌ４−Ｌ３）が、糸ゴム２３、３３による胴回り開口部１ＨＢを適度にフィットさせることができる最も理想的な位置関係となり得る。
【０１０８】
さらに、後胴回り部２０、前胴回り部３０、及び吸収性本体１０は、それぞれ別体であり、吸収性本体１０の前後方向の後側に、後胴回り部２０に重ねられた一端部１０ａが設けられており、吸収性本体１０の前後方向の前側に、前胴回り部３０に重ねられた他端部１０ｂが設けられており、一端部１０ａの下端から他端部１０ｂの下端までの吸収性本体１０の長さＨ３の半分より、後胴回り部２０の他方側の横端２０ｅｒの長さＨ１の方が小さい（Ｈ３／２＞Ｈ１）。一端部１０ａの下端から他端部１０ｂの下端までの吸収性本体１０の長さＨ３を比較的長くして、各脚回り開口部１ＨＬを脚の大きさに応じた長さに設けることができるようにするとともに、後胴回り部２０の他方側の端２０ｅの長さを短くすることで、係止の際に係止部材４０を引っ張った力を後胴回り部２０に伝えやすくなるため、より装着させやすくなる。
【０１０９】
さらに、横方向において、後胴回り部２０の上端部における弾性領域Ｘは、少なくとも吸収性本体１０の一端から他端に渡って連続して設けられているため、係止部４１を前胴回り部３０に係止する際に、横方向における吸収性本体１０の中央(中心線ＡＣ)と、着用者の股間の中央（中心線ＢＣ）とがずれるおそれを軽減することができる。
【０１１０】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【０１１１】
上記の実施形態では、種々の態様を説明したが、少なくとも、前胴回り部３０及び後胴回り部２０を横方向に伸長させた状態において、前胴回り部３０の横方向における、吸収性本体１０の横方向の中心の位置（中心線ＡＣ）から他方側の横端３０ｅｒまでの距離Ｌ６が、後胴回り部２０の横方向における、吸収性本体１０の横方向の中心の位置（中心線ＡＣ）から他方側の横端２０ｅｒまでの距離Ｌ８よりも短い構成であればよい。
【０１１２】
上記の実施形態では、おむつ１のフィット性を確保するための弾性領域Ｘを設けたが、当該弾性領域Ｘは、例えば後胴回り部２０の上端部のみに設ける構成であってもよい。このような構成であっても、おむつ１に必要な胴回り開口部１ＨＢのフィット性を確保することができる。
【０１１３】
上記の実施形態では、ターゲット領域３４は、前胴回り部３０において、吸収性本体１０の横方向の中心の位置（中心線ＡＣ）から吸収性本体１０の横方向の他方側の横端１０ｅｒの位置までの間に設けられていたが、これに限らず、係止部４１の係止位置の許容範囲（吸収性本体１０の横方向の他方側の横端１０ｅｒの位置よりも内側の範囲）を満たすように設けられていればターゲット領域３４の大きさについて特に制限はない。
【０１１４】
上記の実施形態では、横方向に伸縮可能な複数の糸ゴム２３，３３によって弾性領域Ｘ，Ｙを形成していたが、これに限らず、例えば前胴回り部３０や後胴回り部２０を形成する不織布が横方向に伸縮可能な伸縮性の不織布等で弾性領域Ｘ，Ｙが形成されていてもよい。
【０１１５】
上記の実施形態においては、吸収性物品の一例としていわゆる３ピースタイプの使い捨ておむつ１を例示したが、何等これに限られない。例えば、後胴回り部と前胴回り部とを股下を介して一体化した外装シートを第１部品、外装シートの肌側面に固定される吸収性本体を第２部品として有する２ピースタイプの使い捨ておむつであっても良い。
【０１１６】
上記の実施形態では、ターゲット領域３４がループを有し、係止部４１がフックを有し、ループにフックが引っ掛かることによってターゲット領域３４に係止部４１を係止させる例について説明されていたが、ターゲット領域３４及び係止部４１の構成は、それぞれ上述の例には限られない。例えば、ターゲット領域３４及び係止部４１の少なくとも一方の表面に粘着性を有する部材が設けられており、当該粘着性の部材を他方の表面に貼付することによって、両者が係止されるのであっても良い。
【０１１７】
上記の実施形態においては、着用時において、係止部材４０が後胴回り部２０から横方向に突出した状態を説明したが、使い捨ておむつ１が製造された状態で係止部材４０が折り畳まれていても良く、係止部材４０が前胴回り部３０とミシン目等で仮連結されていても良い。
【０１１８】
上記の実施形態においては、後胴回り部２０及び前胴回り部３０について、吸収体１１と重なる領域は、糸ゴム２３，３３を設けないこととしたが、これに限られない。吸収体１１と重なる領域に糸ゴム２３，３３を設けても良い。吸収体１１と重なる領域に糸ゴム２３，３３を設けないことにより、吸収体１１が糸ゴム２３，３３の伸縮により変形されるおそれを軽減することができる。一方、吸収体１１と重なる領域に糸ゴム２３，３３を設けることで、伸縮力により、吸収性本体１０をよりフィットさせることができる。
【符号の説明】
【０１１９】
１…おむつ（吸収性物品）
１ｂ…第１接合部
２ｂ…第２接合部
１０…吸収性本体（股下部）
２０…後胴回り部
３０…前胴回り部
４０…係止部材
４１…係止部
２００，３００…他方側の端部
Ｘ，Ｙ…弾性領域
【図１】
0006427484.tif 000002
【図２】
0006427484.tif 000003
【図３】
0006427484.tif 000004
【図４】
0006427484.tif 000005
【図５】
0006427484.tif 000006
【図６】
0006427484.tif 000007
【図７】
0006427484.tif 000008
【図８】
0006427484.tif 000009
【図９】
0006427484.tif 000010
【図１０】
0006427484.tif 000011
【図１１】
0006427484.tif 000012